(57)【要約】【課題】ディスプレイとスタンドを一体梱包する場合の梱包部材と梱包容積を削減することを目的とする。【解決手段】平板形状のプラズマディスプレイ２１と、このプラズマディスプレイ２１を保持するスタンド２２と、これらのプラズマディスプレイ２１およびスタンド２２を収容するための梱包箱２３とを有し、前記梱包箱２３は、上方が開口した立方体形状の下部梱包箱２４と、この下部梱包箱２４の外側面を内側面で覆うように下部梱包箱２４の上方より被せられる立方体形状の上部梱包箱２５とにより構成し、前記下部梱包箱２４内に前記スタンド２２を収容し、そのスタンド２２上の空間２３ａに緩衝材２６、２７により保持したプラズマディスプレイ２１を収容した。このようにすれば、梱包部材と梱包容積を削減できる。【選択図】図１
2006089069.tif 000002
【特許請求の範囲】
【請求項１】
平板形状のディスプレイと、このディスプレイを保持するスタンドと、これらのディスプレイおよびスタンドを収容するための梱包箱とを有し、前記梱包箱は、上方が開口した立方体形状の下部梱包箱と、この下部梱包箱の外側面を内側面で覆うように下部梱包箱の上方より被せられる立方体形状の上部梱包箱とにより構成し、前記下部梱包箱内に前記スタンドを収容し、そのスタンド上の空間に緩衝材により保持したディスプレイを収容したことを特徴とする平板型ディスプレイの梱包装置。
【発明の詳細な説明】
【技術分野】
【０００１】
本発明は、プラズマディスプレイなどの平板型ディスプレイの梱包装置に関するものである。
【背景技術】
【０００２】
プラズマディスプレイは、ガス放電により紫外線を発生させ、この紫外線で蛍光体を励起して発光させカラー表示を行っている。そして、基板上に隔壁によって区画された表示セルが設けられており、これに蛍光体層が形成されている構成を有する。
【０００３】
このプラズマディスプレイには、大別して、駆動的にはＡＣ型とＤＣ型があり、放電形式では面放電型と対向放電型の２種類があるが、高精細化、大画面化および製造の簡便性から、現状では、プラズマディスプレイ装置の主流は、３電極構造の面放電型のもので、その構造は、一方の基板上に平行に隣接した表示電極対を有し、もう一方の基板上に表示電極と交差する方向に配列されたアドレス電極と、隔壁、蛍光体層を有するもので、比較的蛍光体層を厚くすることができ、蛍光体によるカラー表示に適している。
【０００４】
このようなプラズマディスプレイは、液晶パネルに比べて高速の表示が可能であり、視野角が広いこと、大型化が容易であること、自発光型であるため表示品質が高いことなどの理由から、フラットパネルディスプレイの中で最近特に注目を集めており、多くの人が集まる場所での表示装置や家庭で大画面の映像を楽しむための表示装置として各種の用途に使用されている。
【０００５】
このような構成のプラズマディスプレイは大型画面で薄型を最大の特徴としているが、プラズマディスプレイ単体では自立できないため、従来のＣＲＴのテレビのように設置することができない。そこで据置きスタンドを用いて設置可能としている。そのため設置を容易にするためプラズマディスプレイと据置きスタンドを一体梱包し出荷する形態が考案された（特許文献１参照）。
【特許文献１】特開２００１−２７０５８９号公報
【発明の開示】
【発明が解決しようとする課題】
【０００６】
このように平板形状のプラズマディスプレイと据置きスタンドを一体梱包した場合、梱包部材が多く、また梱包容積が大きくなるという課題がある。
【０００７】
本発明はこのような課題を解決するもので、プラズマディスプレイとスタンドを一体梱包する場合の梱包部材と梱包容積を削減することを目的とする。
【課題を解決するための手段】
【０００８】
この課題を解決するために本発明は、平板形状のディスプレイと、このディスプレイを保持するスタンドと、これらのディスプレイおよびスタンドを収容するための梱包箱とを有し、前記梱包箱は、上方が開口した立方体形状の下部梱包箱と、この下部梱包箱の外側面を内側面で覆うように下部梱包箱の上方より被せられる立方体形状の上部梱包箱とにより構成し、前記下部梱包箱内に前記スタンドを収容し、そのスタンド上の空間に緩衝材により保持したディスプレイを収容したものである。
【発明の効果】
【０００９】
本発明によれば、大型で平板形状となるディスプレイにおいて、梱包箱にディスプレイとスタンドを一体梱包する際、ディスプレイを梱包し、さらにスタンドと一体梱包するという手段をとらないような構成にすることにより、梱包部材と梱包容積を削減することができる。
【発明を実施するための最良の形態】
【００１０】
以下に、本発明の一実施の形態による平板型ディスプレイの梱包装置ついて、図１〜図４を参照しながら説明する。
【００１１】
まず、プラズマディスプレイについて、図２〜図４により説明する。プラズマディスプレイのパネル構造は、図２に示すように、ガラス基板などの透明な前面側の基板１上には、スキャン電極とサステイン電極とで対をなすストライプ状の表示電極２が複数列形成され、そしてその電極群を覆うように誘電体層３が形成され、その誘電体層３上には保護膜４が形成されている。
【００１２】
また、前記前面側の基板１に対向配置される背面側の基板５上には、スキャン電極及びサステイン電極の表示電極２と交差するように、オーバーコート層６で覆われた複数列のストライプ状のアドレス電極７が形成されている。このアドレス電極７間のオーバーコート層６上には、アドレス電極７と平行に複数の隔壁８が配置され、この隔壁８間の側面およびオーバーコート層６の表面に蛍光体層９が設けられている。
【００１３】
これらの基板１と基板５とは、スキャン電極およびサステイン電極の表示電極２とアドレス電極７とがほぼ直交するように、微小な放電空間を挟んで対向配置されるとともに、周囲が封止され、そして前記放電空間には、ヘリウム、ネオン、アルゴン、キセノンのうちの一種または混合ガスが放電ガスとして封入されている。また、放電空間は、隔壁８によって複数の区画に仕切ることにより、表示電極２とアドレス電極７との交点が位置する複数の放電セルが設けられ、その各放電セルには、赤色、緑色及び青色となるように蛍光体層９が一色ずつ順次配置されている。
【００１４】
図３にこのプラズマディスプレイパネルの電極配列を示しており、図３に示すようにスキャン電極およびサステイン電極とアドレス電極とは、Ｍ行×Ｎ列のマトリックス構成であり、行方向にはＭ行のスキャン電極ＳＣＮ1〜ＳＣＮMおよびサステイン電極ＳＵＳ1〜ＳＵＳMが配列され、列方向にはＮ列のアドレス電極Ｄ1〜ＤNが配列されている。
【００１５】
このような電極構成のプラズマディスプレイパネルにおいては、アドレス電極とスキャン電極の間に書き込みパルスを印加することにより、アドレス電極とスキャン電極の間でアドレス放電を行い、放電セルを選択した後、スキャン電極とサステイン電極との間に、交互に反転する周期的な維持パルスを印加することにより、スキャン電極とサステイン電極との間で維持放電を行い、所定の表示を行うものである。
【００１６】
図４に上記で説明した構造のパネルを組み込んだプラズマディスプレイの全体構成の一例を示している。図において、パネル１０を収容する筐体は、前面枠１１と金属製のバックカバー１２とから構成され、前面枠１１の開口部には光学フィルターおよびパネル１０の保護を兼ねたガラス等からなる前面カバー１３が配置されている。また、この前面カバー１３には電磁波の不要輻射を抑制するために、例えば銀蒸着が施されている。さらに、バックカバー１２には、パネル１０等で発生した熱を外部に放出するための複数の通気孔１２ａが設けられている。
【００１７】
前記パネル１０は、アルミニウム等からなるシャーシ部材１４の前面に熱伝導シート１５を介して接着することにより保持され、そしてシャーシ部材１４の後面側には、パネル１０を表示駆動させるための複数の回路ブロック１６が取り付けられている。前記熱伝導シート１５は、パネル１０で発生した熱をシャーシ部材１４に効率よく伝え、放熱を行うためのものである。また、回路ブロック１６はパネル１０の表示駆動とその制御を行うための電気回路を備えており、パネル１０の縁部に引き出された電極引出部に、シャーシ部材１４の四辺の縁部を越えて延びる複数のフレキシブル配線板（図示せず）によって電気的に接続されている。
【００１８】
また、シャーシ部材１４の後面には、回路ブロック１６を取り付けたり、バックカバー１２を固定するためのボス部１４ａがダイカスト等による一体成型により突設されている。なお、このシャーシ部材１４は、アルミニウム平板に固定ピンを固定して構成してもよい。
【００１９】
図１に本発明の一実施の形態による梱包装置を示している。図１に示すように、平板形状のディスプレイであるプラズマディスプレイ２１と、このプラズマディスプレイ２１を保持するスタンド２２と、これらのプラズマディスプレイ２１およびスタンド２２を収容するための梱包箱２３とを有している。なお、図１に示すスタンド２２は、別の梱包箱に梱包した状態のものである。
【００２０】
前記梱包箱２３は、上方が開口した立方体形状の下部梱包箱２４と、この下部梱包箱２４の外側面を内側面で覆うように下部梱包箱２４の上方より被せられる立方体形状の上部梱包箱２５とにより構成されている。そして、前記下部梱包箱２４内の底部に前記スタンド２２が収容され、そのスタンド２２上の空間２３ａに緩衝材２６、２７により保持したプラズマディスプレイ２１が収容されている。
【００２１】
このような構成によれば、梱包箱２３にプラズマディスプレイ２１とスタンド２２を一体梱包する際、プラズマディスプレイ２１を梱包し、さらにスタンド２２を一体梱包するという手段をとらないように構成することができ、梱包部材と梱包容積を削減することができる。
【産業上の利用可能性】
【００２２】
以上説明したように本発明によれば、大型で平板形状となるディスプレイにおいて、梱包部材と梱包容積を削減してスタンドを一体梱包することができるという有用な発明である。
【図面の簡単な説明】
【００２３】
【図１】本発明の一実施の形態による平板型ディスプレイの梱包装置を示す縦断面図
【図２】一般のプラズマディスプレイのパネル部分を示す斜視図
【図３】同じく電極配線を示す概略図
【図４】プラズマディスプレイの分解斜視図
【符号の説明】
【００２４】
２１  プラズマディスプレイ
２２  スタンド
２３  梱包箱
２４  下部梱包箱
２５  上部梱包箱
２６、２７  緩衝材
【図１】
2006089069.tif 000003
【図２】
2006089069.tif 000004
【図３】
2006089069.tif 000005
【図４】
2006089069.tif 000006